(57)【要約】【課題】コースト走行中のダウンシフトに際して車両の減速度を速やかに得ることができる車両用駆動装置を提供する。【解決手段】マニュアルパワーオフダウンシフトに際して、エンジン回転速度ＮＥを一時的に上昇させるブリッピング制御手段７０と、ブリッピング制御開始後に減少する入出力回転速度差△Ｎに基づいて、ロックアップクラッチ２６を係合または半係合させるロックアップ制御手段７２とを含むことから、タービン回転速度ＮＴとエンジン回転速度ＮＥとの差がロックアップ制御またはロックアップスリップ制御を安定に実行することができる値すなわち所定値Ａよりも小さくされて上記各制御が安定に実行され、エンジンが非駆動状態となって十分なエンジンブレーキが得られるので、コースト走行中のダウンシフトに際して車両の減速度を速やかに得ることができる。【選択図】図４
2011196458.tif 000002
【特許請求の範囲】
【請求項１】
エンジンと、該エンジンの出力回転速度をアクセル操作によらず電気的指令に基づいて変更することができる電子スロットル弁と、手動操作部材の変速操作に基づいて変速を行う手動変速モードを備えた自動変速機と、該自動変速機と前記エンジンとの間に設けられたトルクコンバータと、該トルクコンバータの入力部材と出力部材とを直結することができるロックアップクラッチとを、備えた車両用駆動装置の制御装置であって、
前記自動変速機の手動変速モード時におけるパワーオフダウンシフトに際して、前記エンジンの出力回転速度を前記電子スロットル弁によって一時的に上昇させるブリッピング制御手段と、
該ブリッピング制御手段によるブリッピング制御開始後に減少する、前記トルクコンバータの出力回転速度と入力回転速度との差に基づいて、前記ロックアップクラッチを係合または半係合させるロックアップ制御手段と
を含むことを特徴とする車両用駆動装置の制御装置。
【請求項２】
前記ロックアップ制御手段は、前記トルクコンバータの出力回転速度と入力回転速度との差が予め定められた所定値よりも小さい場合に、前記ロックアップクラッチを係合または半係合させることを特徴とする請求項１の車両用駆動装置の制御装置。
【請求項３】
前記ロックアップ制御手段は、前記ブリッピング制御手段によるブリッピング制御中において、前記ロックアップクラッチの油圧アクチュエータに該ロックアップクラッチを係合させない予め定められた待機圧を充填することを特徴とする請求項１または２の車両用駆動装置の制御装置。
【請求項４】
前記ロックアップ制御手段は、前記パワーオフダウンシフト中に前記ロックアップクラッチを係合または半係合させることを特徴とする請求項１乃至３のいずれか１の車両用駆動装置の制御装置。
【発明の詳細な説明】
【技術分野】
【０００１】
本発明は、ロックアップクラッチを備えた車両用駆動装置の制御装置に係り、特に、そのロックアップクラッチを係合させる制御に関するものである。
【背景技術】
【０００２】
エンジンと、そのエンジンの出力回転速度をアクセル操作によらず電気的指令に基づいて変更することができる電子スロットル弁と、手動操作部材の変速操作に基づいて変速を行う手動変速モードを備えた自動変速機と、その自動変速機と前記エンジンとの間に設けられたトルクコンバータと、そのトルクコンバータの入力部材と出力部材とを直結することができるロックアップクラッチとを、備えた車両用駆動装置が知られている。例えば、特許文献１乃至３に記載されたものがそれである。
【先行技術文献】
【特許文献】
【０００３】
【特許文献１】特開２００６−１５３２２５号公報
【特許文献２】特開２００８−１０６８４１号公報
【特許文献３】特開２００１−３０４００３号公報
【発明の概要】
【発明が解決しようとする課題】
【０００４】
ところで、従来の車両用駆動装置では、コースト走行中において、例えばアクセルのチップイン操作やエンジン排気管の触媒の劣化防止判定が行われること等に起因して、ロックアップクラッチを係合させるロックアップ制御または半係合させるロックアップスリップ制御が終了すると、次にアクセルが踏み込まれてトルクコンバータの入力回転速度がその出力回転速度に近づくまでロックアップ制御またはロックアップスリップ制御を実行しないようになっている。これは、上記ロックアップ制御（ロックアップスリップ制御）が終了してトルクコンバータの入力回転速度（エンジン回転速度）が出力回転速度に対して相対的に低下した場合には、その入力回転速度と出力回転速度との差が大きくなった状態からロックアップ制御を実行すると、ロックアップクラッチのトルク容量不足により入力回転速度を引き上げることが困難であるため、入力回転速度の引き上げに伴って大きなショックが発生するため、或いはロックアップクラッチの発熱量が許容値を超える可能性があるためである。
【０００５】
したがって、アクセルオフ或いはそれに近いアクセル操作量によって運転者がエンジンブレーキを要求しているにも拘わらず、ロックアップ制御（ロックアップスリップ制御）が実行されないと、エンジンが被駆動状態とならず、十分なエンジンブレーキすなわち減速度が得られないこととなる。そのため、運転者は、手動操作によりダウンシフトを行って十分な減速度を得ようとするが、その場合であっても、トルクコンバータの入力回転速度と出力回転速度との差が大きい状況は変わらないためにロックアップ制御が実行されず、十分な減速度が得られないという問題があった。また、ロックアップ制御が実施されていないと、再加速時にエンジンによって駆動輪を駆動する状態すなわちトルクコンバータの入力回転速度が出力回転速度を上回る状態となるまで時間がかかるため、レスポンスが悪いという問題があった。
【０００６】
特許文献２には、コースト走行中のダウンシフトに際して、自動変速機がニュートラル状態とされた段階でエンジン回転速度を一時的に引き上げて、上記出力回転速度が所定の同期回転速度に一致するタイミングで変速用クラッチを係合させる技術が開示されている。そして、変速動作中にロックアップクラッチの油圧アクチュエータに所定の待機圧を供給しつつ、その変速動作完了後にロックアップクラッチを係合させる技術が開示されている。しかし、このような車両用駆動装置であっても、変速動作中に引き上げられたエンジン回転速度が変速動作時には低下している可能性があるために、トルクコンバータの入力回転速度と出力回転速度との差が大きくなって必ずしも安定にロックアップ制御が実行できるわけではないという問題があった。
【０００７】
特許文献３には、ロックアップクラッチを確実に係合させるために、トルクコンバータの入力回転速度と出力回転速度との差が所定の範囲を超える場合に、エンジン回転速度を上昇させる技術が開示されている。しかし、このような車両用駆動装置であっても、ロックアップクラッチの係合作動開始後にエンジン回転速度の上昇作動が行われるために、ロックアップクラッチの係合作動がトルクコンバータの入力回転速度と出力回転速度との差に応じて行われるわけではないことから、例えばエンジン出力のタイムラグ等に起因して、ロックアップクラッチの係合時にトルクコンバータの入力回転速度と出力回転速度との差が大きいままである可能性があり、必ずしも安定にロックアップ制御が実行できるわけではないという問題があった。
【０００８】
本発明は以上の事情を背景としてなされたものであり、その目的とするところは、コースト走行中のダウンシフトに際して車両の減速度を速やかに得ることができる車両用駆動装置の制御装置を提供することにある。
【課題を解決するための手段】
【０００９】
かかる目的を達成するための請求項１にかかる発明の要旨とするところは、(a) エンジンと、そのエンジンの出力回転速度をアクセル操作によらず電気的指令に基づいて変更することができる電子スロットル弁と、手動操作部材の変速操作に基づいて変速を行う手動変速モードを備えた自動変速機と、その自動変速機と前記エンジンとの間に設けられたトルクコンバータと、そのトルクコンバータの入力部材と出力部材とを直結することができるロックアップクラッチとを、備えた車両用駆動装置の制御装置であって、(b) 前記自動変速機の手動変速モード時におけるパワーオフダウンシフトに際して、前記エンジンの出力回転速度を前記電子スロットル弁によって一時的に上昇させるブリッピング制御手段と、(c) そのブリッピング制御手段によるブリッピング制御開始後に減少する、前記トルクコンバータの出力回転速度と入力回転速度との差に基づいて、前記ロックアップクラッチを係合または半係合させるロックアップ制御手段とを含むことにある。
【００１０】
また、請求項２にかかる発明の要旨とするところは、請求項１にかかる発明において、(a) 前記ロックアップ制御手段は、前記トルクコンバータの出力回転速度と入力回転速度との差が予め定められた所定値よりも小さい場合に、前記ロックアップクラッチを係合または半係合させることにある。
【００１１】
また、請求項３にかかる発明の要旨とするところは、請求項１または２にかかる発明において、(a) 前記ロックアップ制御手段は、前記ブリッピング制御手段によるブリッピング制御中において、前記ロックアップクラッチの油圧アクチュエータにそのロックアップクラッチを係合させない予め定められた待機圧を充填することにある。
【００１２】
また、請求項４にかかる発明の要旨とするところは、請求項１乃至３のいずれか１にかかる発明において、(a) 前記ロックアップ制御手段は、前記パワーオフダウンシフト中に前記ロックアップクラッチを係合または半係合させることにある。
【発明の効果】
【００１３】
請求項１にかかる発明の車両用駆動装置の制御装置によれば、自動変速機の手動変速モード時におけるパワーオフダウンシフトに際して、エンジンの出力回転速度を電子スロットル弁によって一時的に上昇させるブリッピング制御手段と、そのブリッピング制御手段によるブリッピング制御開始後に減少する、トルクコンバータの出力回転速度と入力回転速度との差に基づいて、ロックアップクラッチを係合または半係合させるロックアップ制御手段とを含むことから、コースト走行中にロックアップ制御が行われずにトルクコンバータの入力回転速度が出力回転速度に対して相対的に低下しているときにダウンシフトが要求された場合において、トルクコンバータの出力回転速度と入力回転速度との差が減少中であってロックアップ制御またはロックアップスリップ制御を安定に実行することができる程に小さくされて上記制御が実行されることにより、エンジンが非駆動状態となって十分なエンジンブレーキが得られるので、コースト走行中のダウンシフトに際して車両の減速度を速やかに得ることができる。例えば、ダウンシフト完了後にアクセルが踏み込まれてエンジン回転速度が上昇された後に、アクセルがオフ或いはそれに近い操作量とされることでロックアップ制御またはロックアップスリップ制御が為される場合と比較して、速やかにエンジンブレーキが得られる。
【００１４】
請求項２にかかる発明の車両用駆動装置の制御装置によれば、前記ロックアップ制御手段は、トルクコンバータの出力回転速度と入力回転速度との差が予め定められた所定値よりも小さい場合に、ロックアップクラッチを係合または半係合させることから、トルクコンバータの出力回転速度と入力回転速度との差がロックアップ制御またはロックアップスリップ制御を安定に実行することができる値として予め定められた前記所定値よりも小さくされたときに上記制御が実行される場合には、ロックアップスリップ制御を安定に実行することができる。これに対して、上記差が大きいときにロックアップ制御またはロックアップスリップ制御が行われる場合には、ロックアップクラッチのトルク容量不足により入力回転速度を引き上げることが困難である、入力回転速度の引き上げに伴って大きなショックが発生する、或いはロックアップクラッチの発熱量が許容値を超える等の問題が生じる。
【００１５】
請求項３にかかる発明の車両用駆動装置の制御装置によれば、前記ロックアップ制御手段は、前記ブリッピング制御手段によるブリッピング制御中において、ロックアップクラッチの油圧アクチュエータにそのロックアップクラッチを係合させない予め定められた待機圧を充填することから、ロックアップ制御またはロックアップスリップ制御開始後に速やかにロックアップクラッチを係合または半係合させることができるので、車両の減速度をより速やかに得ることができる。
【００１６】
請求項４にかかる発明の車両用駆動装置の制御装置によれば、前記ロックアップ制御手段は、前記パワーオフダウンシフト中にロックアップクラッチを係合または半係合させることから、例えばダウンシフト後にロックアップクラッチを係合または半係合させる場合と比べて、より速やかに車両の減速度を得ることができる。また、ロックアップクラッチの係合時に生じるショックを変速ショックに埋没させることができるという利点もある。
【図面の簡単な説明】
【００１７】
【図１】本発明が適用された車両用駆動装置およびその制御系統を説明する図である。
【図２】図１のトルクコンバータおよび自動変速機の構成を説明する骨子図である。
【図３】図２の自動変速機において選択的に成立される複数の変速段と複数の油圧式摩擦係合装置の作動状態との関係をまとめた係合作動表である。
【図４】図１の電子制御装置に備えられた制御機能の要部を説明する機能ブロック線図である。
【図５】図４の電子制御装置の信号処理によって実行される制御作動の要部を説明するフローチャートであって、パワーオフダウンシフトが行われる際のロックアップ制御およびロックアップスリップ制御に関する制御作動を説明するためのものである。
【図６】図４の電子制御装置の信号処理によって実行される制御作動の要部を説明するフローチャートであって、パワーオフダウンシフトが行われる際のブリッピング制御に関する制御作動を説明するためのものである。
【図７】図５および図６に示された電子制御装置の制御作動の一例を説明するためのタイムチャートであって、例えば、車両の走行状態がロックアップスリップ制御を実行する走行状態である場合のタイムチャートである。
【図８】本発明の他の実施例の電子制御装置の信号処理によって実行される制御作動の要部を説明するフローチャートである。
【図９】図８および図６に示された電子制御装置の制御作動の一例を説明するためのタイムチャートである。
【図１０】ブリッピング制御手段およびロックアップ制御手段を備えていない従来の電子制御装置による制御作動を説明するためのタイムチャートである。
【発明を実施するための最良の形態】
【００１８】
以下、本発明の一実施例を図面を参照して詳細に説明する。なお、以下の実施例において図は適宜簡略化或いは変形されており、各部の寸法比および形状等は必ずしも正確に描かれていない。
【実施例１】
【００１９】
図１は、本発明が適用された車両用駆動装置１０およびその制御系統を説明する図である。この図１に示す車両用駆動装置１０は、走行用の駆動源であるエンジン１２と、トルクコンバータ１４と、自動変速機１６とを、直列に備えて構成されており、上記エンジン１２と図示しない一対の駆動輪との間に設けられて、そのエンジン１２から出力される動力を駆動装置の他の一部を構成する差動歯車装置等を順次介して上記一対の駆動輪へ伝達する。
【００２０】
上記エンジン１２は、例えば、気筒内噴射される燃料の燃焼によって駆動力を発生させるガソリンエンジン或いはディーゼルエンジン等の内燃機関である。エンジン１２の吸気配管１８には、後に詳述する電子制御装置５０からの電気信号（電気的指令）に基づいて作動するスロットルアクチュエータ２０によって開閉作動させられることにより、エンジン１２の吸入空気量を調節してそのエンジン１２の出力回転速度すなわちエンジン回転速度ＮＥを変化させることができる電子スロットル弁２２を備えている。上記電子スロットル弁２２は、その開度すなわちスロットル開度θＴＨが大きいほどエンジン出力を大きくする。基本的には、予め定められた関係に基づいて、アクセルペダルの操作量であるアクセル開度θＡＣＣが大きいほど、上記スロットル開度θＴＨは大きくされる。なお、例外的に、アクセル操作によらず電子制御装置５０から出力される電気信号に基づいてスロットル開度θＴＨが変更される場合もある。
【００２１】
前記トルクコンバータ１４は、流体を介して動力伝達を行う流体式動力伝達装置であり、また、前記自動変速機１６は、予め定められた複数の変速段（本実施例では６段）の何れかが選択的に成立させられる有段式変速機である。図２は、上記トルクコンバータ１４および自動変速機１６の構成を説明する骨子図である。なお、トルクコンバータ１４および自動変速機１６は、軸心Ｃに対して略対称的に構成されており、図２においてはその軸心Ｃの下半分が省略されている。
【００２２】
図２において、トルクコンバータ１４は、エンジン１２と自動変速機１６との間に設けられている。このトルクコンバータ１４は、エンジン１２のクランク軸に連結されたポンプ翼車（入力部材）１４ｐと、タービン軸２４を介して自動変速機１６に連結されたタービン翼車（出力部材）１４ｔと、一方向クラッチによって一方向の回転が阻止されているステータ翼車１４ｓとを備えており、ポンプ翼車１４ｐとタービン翼車１４ｔとの間で流体を介して動力伝達を行うものである。そして、ポンプ翼車１４ｐとタービン翼車１４ｔとの間には、それらの間すなわちトルクコンバータ１４の入出力部材間を直結することができるロックアップクラッチ２６が設けられている。そして、ポンプ翼車１４ｐには、自動変速機１６を変速制御したり、ロックアップクラッチ２６の作動を制御したり、或いは各部に潤滑油を供給したりする為の元圧となる油圧を発生させて図１に示す油圧制御回路２８へ供給するために、そのポンプ翼車１４ｐに回転駆動される機械式のオイルポンプ３０が連結されている。
【００２３】
上記ロックアップクラッチ２６は、良く知られているように、油圧制御回路２６によって係合側油室３２内の油圧と解放側油室３４内の油圧との差圧が制御されることにより、フロントカバー３６に摩擦係合させられる油圧式摩擦クラッチである。トルクコンバータ１４の運転状態としては、例えば、前記差圧が負とされてロックアップクラッチ２６が解放される所謂ロックアップ解放状態（非係合状態）、前記差圧が零以上とされてロックアップクラッチ２６が滑りを伴って半係合される所謂ロックアップスリップ状態（半係合状態）、および前記差圧が最大値とされてロックアップクラッチ２６が完全係合される所謂ロックアップ状態（係合状態）の３状態に大別される。例えば、ロックアップクラッチ２６が完全係合させられることにより、ポンプ翼車１４ｐおよびタービン翼車１４ｔが一体回転させられてエンジン１２の動力が自動変速機１６側へ直接伝達される。また、所定のスリップ状態で係合するように前記差圧が制御されて、例えばスリップ量ＮＳ（エンジン回転速度ＮＥとタービン回転速度ＮＴとの差の絶対値）がフィードバック制御されることにより、車両のパワーオン走行時には所定のスリップ量ＮＳでタービン軸２４が前記クランク軸に対して追従回転させられる一方、車両のパワーオフ時には所定のスリップ量ＮＳで前記クランク軸がタービン軸２４に対して追従回転させられる。上記スリップ量ＮＳの目標値すなわち目標スリップ量ＮＳは、例えば５０〜１００[rpm]程度に予め設定されている。
【００２４】
本実施例の自動変速機１６は、好適にはＦＦ（フロントエンジン・フロントドライブ）車両において横置きに搭載されて用いられるものである。自動変速機１６は、車体に取り付けられる非回転部材としてのトランスミッションケース３８内において、シングルピニオン型の第１遊星歯車装置４０と、ダブルピニオン型の第２遊星歯車装置４２およびシングルピニオン型の第３遊星歯車装置４４から成るラビニヨ型遊星歯車装置４６とを共通の軸心Ｃ上に備えており、上記各遊星歯車装置を介してタービン軸２４の回転を変速して出力歯車４８から出力する。上記タービン軸２４は、自動変速機１６の入力部材に相当するものである。また、上記出力歯車３６は、自動変速機１６の出力部材に相当するものであり、自動変速機１６の後段側に設けられる図示しない差動歯車装置に動力を伝達するためにその差動歯車装置のデフドリブンギヤと噛み合うデフドライブギヤとして機能する。
【００２５】
また、自動変速機１６は、その各回転要素（サンギヤＳ１乃至Ｓ３、キャリヤＣＡ１乃至ＣＡ３、リングギヤＲ１乃至Ｒ３）同士の係合状態、または各回転要素とトランスミッションケース３８との係合状態に応じて、第１変速段「１ｓｔ」乃至第６変速段「６ｔｈ」の６つの前進変速段、および１つの後進変速段「Ｒｅｖ」のいずれか１を成立させるために、選択的に作動させられる油圧式摩擦係合装置として、図２に示すようにクラッチＣ１、Ｃ２、およびブレーキＢ１乃至Ｂ３を備えている。これらクラッチおよびブレーキは、いずれも多板式のクラッチやブレーキ等、油圧アクチュエータによって係合制御される油圧式摩擦係合装置であり、図１に示す油圧制御回路２８が備える電磁弁の励磁状態が制御されることにより、係合状態が切り換えられると共に係合および解放時の過度油圧等が制御されるものである。なお、図３は、自動変速機１６において選択的に成立される前記複数の変速段と前記クラッチおよびブレーキの作動状態との関係をまとめた係合作動表である。
【００２６】
図１に戻って、車両用駆動装置１０は、エンジン１２の出力制御、自動変速機１６の変速制御、およびロックアップクラッチ２６の係合制御等の各種制御を行うための電子制御装置５０を備えている。この電子制御装置５０は、本発明における車両用駆動装置の制御装置に相当するものである。上記電子制御装置５０は、例えばＣＰＵ、ＲＡＭ、ＲＯＭ、入出力インターフェース等を備えた所謂マイクロコンピュータを含んで構成されており、ＣＰＵがＲＡＭの一時記憶機能を利用しつつ予めＲＯＭに記憶されたプログラムに従って信号処理を行うことにより、前記各種制御を実行するように構成されている。
【００２７】
図１に示すように、上記電子制御装置５０には、車両の各部に設けられてその車両の状態を示す各種センサからの信号が入力されるようになっている。例えば、上記電子制御装置５０には、スロットル開度センサ５２により検出された電子スロットル弁２２のスロットル開度θＴＨを表す信号、アクセル開度センサ５４により検出された図示しないアクセルペダルの操作量であるアクセル開度θＡＣＣを表す信号、エンジン回転速度センサ５６により検出されたエンジン１２のエンジン回転速度ＮＥを表す信号、タービン回転速度センサ５８により検出されたタービン翼車１４ｔのタービン回転速度ＮＴを表す信号、車速センサ６０により検出された車速Ｖを表す信号、およびレバーポジションセンサ６２により検出されたシフトレバー６４の操作位置ＰＳＨを表す信号などが、それぞれ供給される。
【００２８】
また、電子制御装置５０からは、車両に備えられた各種装置の作動を制御するための信号が出力されるようになっている。例えば、電子制御装置５０からは、エンジン１２の出力制御のためのエンジン出力制御指令信号ＳＥとして、電子スロットル弁２２の開閉を制御するためのスロットルアクチュエータ２０を駆動するスロットル信号、図示しない燃料噴射装置から噴射される燃料の量を制御するための噴射信号、および図示しない点火装置によるエンジン１２の点火時期を制御するための点火時期信号等が出力される。また、例えば、電子制御装置５０からは、自動変速機１６の変速制御のための変速制御指令信号ＳＴＭとして、油圧制御回路２８内に前記クラッチおよびブレーキにそれぞれ対応して備えられた図示しない各種電磁弁を駆動するための信号等が出力される。また、例えば、電子制御装置５０からは、ロックアップクラッチ２６の係合制御のためのロックアップクラッチ係合制御信号ＳＬＣとして、油圧制御回路２８内に備えられたロックアップ制御用リニアソレノイド弁ＳＬＵを駆動するための信号等が出力される。
【００２９】
前記シフトレバー６４は、例えば運転席の近傍に配設され、図１に示すように、５つの操作位置「Ｐ」、「Ｒ」、「Ｎ」、「Ｄ」、または「Ｓ」へ手動操作されるようになっている。上記操作位置「Ｐ」は、メカニカルパーキング機構によって機械的に自動変速機１６の出力歯車４８の回転を阻止する為の駐車ポジションである。また、操作位置「Ｒ」は、自動変速機１６において後進変速段「Ｒｅｖ」を成立させるための後進走行ポジションである。また、上記操作位置「Ｎ」は、自動変速機１２内の動力伝達を遮断するニュートラル状態を成立させるための中立ポジションである。また、上記操作位置「Ｄ」は、予め定められた関係から車両の走行状態に基づいて自動変速機１２の変速段を第１変速段「１ｓｔ」乃至第６変速段「６ｔｈ」のいずれか１に切り換えるための自動変速制御が実行される自動変速モードを選択する前進走行ポジションである。また、上記操作位置「Ｓ」は、シフトレバー６４が操作位置「＋」および「−」へ操作される毎に自動変速機１２の変速段を高速側および低速側に１段ずつ切り換えるための手動変速制御が実行される手動変速モードを選択する前進走行ポジションである。上記シフトレバー６４は、本発明における手動操作部材に相当するものであり、実施例の自動変速機１６は、シフトレバー６４の変速操作すなわち操作位置「＋」および「−」への操作に基づいて変速を行う手動変速モードを備えている。
【００３０】
前記電子制御装置５０は、上記自動変速モードが選択されている場合には、予め記憶された関係から車両の走行状態（運転状態）に基づいて自動変速機１６の自動変速制御を行う。例えば、電子制御装置５０は、予め定められた自動変速マップから、スロットル弁開度θＴＨまたはアクセル開度θＡＣＣおよび車速Ｖに基づいて、成立すべき変速段を判定し、その判定された変速段が成立するように自動変速機１６に備えられた前記クラッチおよびブレーキの係合状態をそれぞれ制御する。そして、電子制御装置５０は、前記手動変速モードが選択されている場合には、シフトレバー６４の変速操作に基づいて自動変速機１６の手動変速制御を行う。例えば、電子制御装置５０は、自動変速機１６の実際の変速段と、シフトレバー６４の操作位置「＋」および「−」への操作とに基づいて、成立すべき変速段を判定し、その判定された変速段が成立するように自動変速機１６に備えられた前記クラッチおよびブレーキの係合状態をそれぞれ制御する。
【００３１】
また、前記電子制御装置５０は、予め記憶された関係から車両の走行状態（運転状態）に基づいてロックアップクラッチ２６の係合制御を行う。例えば、電子制御装置５０には、スロットル弁開度θＴＨまたはアクセル開度θＡＣＣおよび車速Ｖに基づいて、ロックアップクラッチ２６を解放させるトルコン領域、ロックアップクラッチ２６を半係合させるロックアップスリップ領域、およびロックアップクラッチ２６を係合（完全係合）させるロックアップ領域がそれぞれ定められたロックアップクラッチ係合マップが予め記憶されており、電子制御装置５０は、上記ロックアップクラッチ係合マップからスロットル弁開度θＴＨまたはアクセル開度θＡＣＣおよび車速Ｖに基づいて、ロックアップクラッチ２６を解放させる解放制御、ロックアップクラッチ２６を半係合させるロックアップスリップ制御、およびロックアップクラッチ２６を完全係合させるロックアップ制御のいずれかを実行するかを判定し、その判定された制御を行うために油圧制御回路２８のロックアップ制御用リニアソレノイド弁ＳＬＵを駆動する。
【００３２】
図４は、電子制御装置５０に備えられた制御機能の要部を説明する機能ブロック線図である。この図４に示す変速制御手段６８は、パワーオフダウンシフトを要求する変速操作が為されたか否かを判定する。例えば、変速制御手段６８は、アクセル開度θＡＣＣが予め実験的に求められて記憶された所定のアクセル開度θＡＣＣ１よりも小さいパワーオフ走行中であり、シフトレバー６４が操作位置「Ｓ」に操作されることで手動変速モードが選択され、且つシフトレバー６４が操作位置「−」へ操作される変速操作が検出された場合に、パワーオフダウンシフトを要求する変速操作が為されたと判定する。
【００３３】
また、変速制御手段６８は、パワーオフダウンシフトを要求する変速操作が為されたと判定された場合に、自動変速機１６の実際の変速段に基づいて成立すべき変速段を判定し、その判定された変速段が成立するように自動変速機１６に備えられた前記クラッチおよびブレーキの係合状態をそれぞれ制御する。
【００３４】
また、変速制御手段６８は、前記クラッチおよびブレーキの油圧アクチュエータへの油圧の供給を調節する油圧制御回路２８の電磁弁の作動状態に基づいて、上記パワーオフダウンシフト中に自動変速機１６がニュートラル状態とされたか否かを判定する。
【００３５】
ブリッピング制御手段７０は、変速制御手段６８においてパワーオフダウンシフトを要求する変速操作が為されたと判定された場合に、予め実験的に求められた関係から、トルクコンバータ１４の出力回転速度と入力回転速度との差すなわちタービン回転速度ＮＴとエンジン回転速度ＮＥとの差の絶対値である入出力回転速度差△Ｎに基づいて、エンジン回転速度ＮＥを一時的に上昇させるブリッピング要求があるか否かを判定する。具体的には、ブリッピング制御手段７０は、例えば、入出力回転速度差△Ｎが予め定められた所定の入出力回転速度差△Ｎ１以上である場合に、ブリッピング要求があると判定する。
【００３６】
また、ブリッピング制御手段７０は、上記判定においてブリッピング要求があると判定された場合に、変速制御手段６８により実行されるパワーオフダウンシフトに際して、エンジン回転速度ＮＥを電子スロットル弁２２によって一時的に上昇させるブリッピング制御を行う。具体的には、ブリッピング制御手段７０は、変速制御手段６８においてパワーオフダウンシフト中に自動変速機１６がニュートラル状態とされたと判定されてから所定時間Ｔ１の間、スロットル開度θＴＨを所定のスロットル開度θＴＨ１増加させる。上記スロットル開度θＴＨおよび所定時間Ｔ１は、例えば、上記パワーオフダウンシフト中に入出力回転速度差△Ｎが予め定められた所定値Ａよりも小さくなるように予め実験的に求められて記憶されている。なお、上記所定値Ａは、ロックアップ制御またはロックアップスリップ制御を実行しても、例えば、ロックアップクラッチ２６のトルク容量不足によりエンジン回転速度ＮＥを引き上げることが困難である、エンジン回転速度ＮＥの引き上げに伴って大きなショックが発生する、又はロックアップクラッチ２６の発熱量が許容値を超える等の問題が発生しない値として、予め実験的に求められた値である。
【００３７】
ロックアップ制御手段７２は、予め記憶された前記ロックアップクラッチ係合マップから、スロットル弁開度θＴＨまたはアクセル開度θＡＣＣおよび車速Ｖに基づいて、車両の走行状態がロックアップクラッチ２６の解放制御、ロックアップスリップ制御、およびロックアップ制御のいずれの制御を実行する走行状態かを判定する。
【００３８】
また、ロックアップ制御手段７２は、車両の走行状態がロックアップスリップ制御またはロックアップ制御を実行する走行状態であると判定された場合に、ブリッピング制御手段７０によるブリッピング制御開始後に減少する、トルクコンバータ１４の出力回転速度と入力回転速度との差すなわち入出力回転速度差△Ｎに基づいて、ロックアップクラッチ２６を係合または半係合させる。具体的には、ロックアップ制御手段７２は、変速制御手段６８においてパワーオフダウンシフト中に自動変速機１６がニュートラル状態とされたと判定されてから所定時間Ｔ１が経過した場合に、入出力回転速度差△Ｎが予め定められた所定値Ａよりも小さいか否かを判定し、上記判定が肯定されたときにロックアップ制御またはロックアップスリップ制御を開始する。なお、本実施例では、ブリッピング制御においてパワーオフダウンシフト中に入出力回転速度差△Ｎが予め定められた所定値Ａよりも小さくなるようにエンジン回転速度ＮＥが引き上げられるため、上記ロックアップ制御手段７２によるロックアップ制御およびロックアップスリップ制御は、パワーオフダウンシフト中に開始されるようになっている。
【００３９】
図５および図６は、電子制御装置５０の信号処理によって実行される制御作動の要部をそれぞれ説明するフローチャートである。このうち図５のフローチャートは、パワーオフダウンシフトが行われる際のロックアップ制御およびロックアップスリップ制御に関する制御作動を説明するためのものであり、例えば、数ｍｓｅｃ乃至数十ｍｓｅｃ程度の極めて短いサイクルタイムで繰り返し実行される。
【００４０】
図５において、変速制御手段６８に対応するステップ（以下、「ステップ」を省略する）Ｓ１では、パワーオフダウンシフトのためのマニュアルダウンシフト操作が行われたか否かが判定される。例えば、アクセル開度θＡＣＣが予め実験的に求められて記憶された所定のアクセル開度θＡＣＣ１よりも小さいパワーオフ走行中であり、シフトレバー６４が操作位置「Ｓ」に操作されることで手動変速モードが選択され、且つシフトレバー６４が操作位置「−」へ操作される変速操作が検出された場合に、パワーオフダウンシフトを要求する変速操作すなわちパワーオフダウンシフト操作が為されたと判定される。
【００４１】
上記Ｓ１の判定が否定された場合には、Ｓ１以下が繰り返し実行されるが、上記Ｓ１の判定が肯定された場合には、ブリッピング制御手段７０に対応するＳ２において、予め実験的に求められた関係から、入出力回転速度差△Ｎに基づいて、エンジン回転速度ＮＥを一時的に上昇させるブリッピング要求があるか否かが判定される。
【００４２】
上記Ｓ２の判定が否定された場合には、Ｓ１以下が繰り返し実行されるが、上記Ｓ２の判定が肯定された場合には、ロックアップ制御手段７２に対応するＳ３において、自動変速機１６がニュートラル状態とされたと判定されてから所定時間Ｔ１が経過した場合に、ブリッピング制御によるブリッピング制御開始後に減少する入出力回転速度差△Ｎに基づいて、その入出力回転速度差△Ｎが予め定められた所定値Ａよりも小さいか否かが判定される。
【００４３】
上記Ｓ３の判定が否定された場合には、Ｓ３以下が繰り返し実行されるが、上記Ｓ３の判定が否定された場合には、ロックアップ制御に対応するＳ４において、予め記憶された前記ロックアップクラッチ係合マップから、スロットル弁開度θＴＨまたはアクセル開度θＡＣＣおよび車速Ｖに基づいて、車両の走行状態がロックアップクラッチ２６の解放制御、ロックアップスリップ制御、およびロックアップ制御のいずれの制御を実行する走行状態かが判定され、その判定においてロックアップスリップ制御またはロックアップ制御を実行する走行状態であると判定された場合に、ロックアップクラッチ２６が係合または半係合される。そして、本ルーチンは終了させられる。
【００４４】
図６のフローチャートは、パワーオフダウンシフトが行われる際のブリッピング制御に関する制御作動を説明するためのものであり、車両がパワーオフ走行中であると判定され、シフトレバー６４が操作位置「Ｓ」に操作されることで手動変速モードが選択され、且つシフトレバー６４が操作位置「−」へ操作される変速操作が検出されることにより、パワーオフダウンシフトを要求する変速操作が為されたと判定された場合に、例えば、数ｍｓｅｃ乃至数十ｍｓｅｃ程度の極めて短いサイクルタイムで繰り返し実行される。
【００４５】
図６において、ブリッピング制御手段７０に対応するＳ１１では、予め実験的に求められた関係から、入出力回転速度差△Ｎに基づいて、エンジン回転速度ＮＥを一時的に上昇させるブリッピング要求があるか否かが判定される。例えば、入出力回転速度差△Ｎが予め定められた所定の入出力回転速度差△Ｎ１以上である場合に、ブリッピング要求があると判定される。
【００４６】
上記Ｓ１１の判定が否定される場合には、本ルーチンは終了させられるが、上記Ｓ１１の判定が肯定される場合には、ブリッピング制御手段７０に対応するＳ１２において、エンジン回転速度ＮＥを電子スロットル弁２２によって一時的に上昇させるブリッピング制御が行われる。具体的には、パワーオフダウンシフト中に自動変速機１６がニュートラル状態とされたと判定されてから所定時間Ｔ１の間、スロットル開度θＴＨが所定のスロットル開度θＴＨ１増加される。上記スロットル開度θＴＨおよび所定時間Ｔ１は、例えば、上記パワーオフダウンシフト中に入出力回転速度差△Ｎが予め定められた所定値Ａよりも小さくなるように予め実験的に求められて記憶された値が用いられる。
【００４７】
図７は、図５および図６に示された電子制御装置５０の制御作動の一例を説明するためのタイムチャートであって、例えば、車両の走行状態がロックアップスリップ制御を実行する走行状態である場合のタイムチャートである。この図７には、上から順に、時間ｔの経過に応じて変化するシフトレバー６４による変速段指示、タービン回転速度ＮＴおよびエンジン回転速度ＮＥ、スロットル開度θＴＨ、前記クラッチおよびブレーキのうち変速に関わる解放側係合装置および係合側係合装置に対する指令圧、ロックアップ制御用リニアソレノイド弁ＳＬＵに対する指令圧、およびアクセル開度θＡＣＣが示されている。なお、図７中のｔ１時点よりも前の車両状態は、アクセル開度θＡＣＣが零であるパワーオフ走行状態であり、自動変速機１６の変速段が第４変速段であり、且つシフトレバー６４が操作位置「Ｓ」に操作されることで手動変速モードが選択されている状態であって、図５のフローチャートの実行条件が整っている状態である。
【００４８】
図７において、ｔ１時点は、シフトレバー６４が操作位置「−」へ操作される変速操作が検出された時点である。このｔ１時点においては、図５のＳ１の判定が肯定されるとともに、図６のフローチャートの実行条件が整う。そして、上記ｔ１時点直後に図５のＳ２および図６のＳ１１の判定がそれぞれ肯定される。図７に示すように、前記解放側係合装置の指令圧は、上記ｔ１時点直後から変速段を切り換えるために減少される。
【００４９】
ｔ２時点は、前記解放側係合装置の指令圧が所定値以下となって自動変速機１６がニュートラル状態とされたと判定され、ブリッピング制御が開始された時点である。このｔ２時点においては、図６のＳ１２におけるエンジン回転ＮＥ上昇のための制御作動が実行される。スロットル開度θＴＨは、上記ｔ２時点直後から所定時間Ｔ１の間、所定のスロットル開度θＴＨ１増加される。そして、前記係合側係合装置の指令圧は、上記ｔ２時点直後から上記係合側係合装置を係合させない程度に増加される。そして、エンジン回転速度ＮＥは、上記スロットル開度θＴＨ増加によってｔ２時点から所定時間経過後に上昇開始される。そして、タービン回転速度ＮＴは、前記解放側係合装置の指令圧が零とされるとともに前記係合側係合装置の指令圧がその係合側係合装置を半係合させる程度に増加されると、上昇が開始される。
【００５０】
ｔ３時点は、エンジン回転速度ＮＥとタービン回転速度ＮＴとの差の絶対値である入出力回転速度差△Ｎが予め定められた所定値Ａよりも小さいと判定されて、ロックアップスリップ制御が開始された時点である。このｔ３時点においては、図５のＳ４におけるロックアップクラッチ２６を半係合させるための制御作動が実行される。ロックアップ制御用リニアソレノイド弁ＳＬＵの指令圧は、タービン軸２４がエンジン１２のクランク軸に対して例えば５０〜１００[rpm]程度に設定された目標スリップ量ＮＳで追従回転させられるように制御される。なお、本実施例では、ロックアップスリップ制御の開始直後にロックアップクラッチ２６の係合側油室３２に油圧を急速充填させるために、ロックアップ制御用リニアソレノイド弁ＳＬＵの指令圧が所定時間高めに設定される。そして、エンジン回転速度ＮＥは、タービン回転速度ＮＴとの差が上記目標スリップ量ＮＳとなるように変化している。なお、時間軸の上に示す制御ＯＦＦの矢印は、ｔ３時点まではロックアップクラッチ２６を係合または半係合させるための制御が停止されていることを表し、また、定常制御の矢印は、ｔ３時点からロックアップクラッチ２６を半係合させるための制御が実行されていることを表している。
【００５１】
因みに、図１０は、ブリッピング制御手段７０およびロックアップ制御手段７２を備えていない従来の電子制御装置による制御作動を説明するためのタイムチャートであって、本実施例の場合の図７に対応する図である。図１０に示すように従来では、エンジン回転速度ＮＥがタービン回転速度ＮＴに対して相対的に低下した状態においてｔ１１時点後に示すようにパワーオフダウンシフトが行われた場合であっても、そのダウンシフト後もエンジン回転速度ＮＥとタービン回転速度ＮＴとの差が大きい状況は変わらないために、ロックアップ制御およびロックアップスリップ制御を実行することができず、十分な減速度が得られないという問題があった。その場合には、例えば、ダウンシフト完了後に図１０のｔ１２時点に示すようにアクセルが踏み込まれてエンジン回転速度ＮＥが上昇され、タービン回転速度ＮＴとエンジン回転速度ＮＥとの差がロックアップ制御およびロックアップスリップ制御を安定に実行することができる回転速度差以内にならないと、ロックアップ制御およびロックアップスリップ制御が実行できなかった。
【００５２】
本実施例の車両用駆動装置１０の制御装置としての電子制御装置５０によれば、自動変速機１６の手動変速モード時におけるパワーオフダウンシフトに際して、エンジン回転速度ＮＥを電子スロットル弁２２によって一時的に上昇させるブリッピング制御手段７０と、そのブリッピング制御開始後に減少する入出力回転速度差△Ｎ（トルクコンバータの出力回転速度と入力回転速度との差）に基づいて、ロックアップクラッチ２６を係合または半係合させるロックアップ制御手段７２とを含むことから、コースト走行中（パワーオフ走行中）にロックアップ制御が行われずにエンジン回転速度ＮＥがタービン回転速度ＮＴに対して相対的に低下しているときにダウンシフトが要求された場合において、タービン回転速度ＮＴとエンジン回転速度ＮＥとの差がロックアップ制御またはロックアップスリップ制御を安定に実行することができる値すなわち所定値Ａよりも小さくされて上記各制御が安定に実行され、エンジンが非駆動状態となって十分なエンジンブレーキが得られるので、コースト走行中のダウンシフトに際して車両の減速度を速やかに得ることができる。例えば、図１０に示すようにダウンシフト完了後にアクセルが踏み込まれてエンジン回転速度ＮＥが十分に上昇された後に、アクセルがオフ或いはそれに近い操作量とされてロックアップ制御またはロックアップスリップ制御が為される場合と比較して、速やかにエンジンブレーキが得られる。
【００５３】
また、本実施例の電子制御装置５０によれば、ロックアップ制御手段７２は、入出力回転速度差△Ｎ（トルクコンバータの出力回転速度と入力回転速度との差）がロックアップ制御またはロックアップスリップ制御を安定に実行することができる値として予め定められた所定値Ａよりも小さい場合に、ロックアップクラッチ２６を係合または半係合させることから、入出力回転速度差△Ｎが所定値Ａよりも小さくされたときに上記制御が実行されるので、ロックアップスリップ制御を安定に実行することができる。これに対して、上記入出力回転速度差△Ｎが大きいときにロックアップ制御またはロックアップスリップ制御が行われる場合には、ロックアップクラッチ２６のトルク容量不足によりエンジン回転速度ＮＥを引き上げることが困難である、エンジン回転速度ＮＥの引き上げに伴って大きなショックが発生する、或いはロックアップクラッチ２６の発熱量が許容値を超える等の問題が生じる。
【００５４】
また、本実施例の電子制御装置５０によれば、ロックアップ制御手段７２は、パワーオフダウンシフト中にロックアップクラッチ２６を係合または半係合させることから、ダウンシフト後にロックアップクラッチ２６を係合または半係合させる場合と比べて、より速やかに車両の減速度を得ることができる。また、ロックアップクラッチ２６の係合時に生じるショックを変速ショックに埋没させることができるという利点もある。
【実施例２】
【００５５】
次に、本発明の他の実施例について説明する。なお、以下の実施例の説明において、実施例相互に重複する部分については、同一の符号を付してその説明を省略する。
【００５６】
図４に示すように、本発明の他の実施例の電子制御装置１００は、前述の実施例１の電子制御装置５０が備える変速制御手段６８およびブリッピング制御手段７０の他に、ロックアップ制御手段１０２を備えている。このロックアップ制御手段１０２は、電子制御装置５０が備えるロックアップ制御手段７２に比べて以下の点で異なる。すなわち、ロックアップ制御手段１０２は、変速制御手段６８によってパワーオフダウンシフトが開始されたときから、ロックアップクラッチ２６の油圧アクチュエータの係合側油室３２に対してそのロックアップクラッチ２６を係合させない予め定められた待機圧ＰＬＣ１の油圧充填を行う待機制御を実施する。上記係合側油室３２への待機圧ＰＬＣ１の油圧充填は、ロックアップ制御またはロックアップスリップ制御が実行される直前まで継続して行われる。
【００５７】
図８および前記図６は、電子制御装置１００の信号処理によって実行される制御作動の要部をそれぞれ説明するフローチャートである。図６のフローチャートは、実施例１の場合と同様であるので説明を省略する。図８のフローチャートは、パワーオフダウンシフトが行われる際のロックアップ制御およびロックアップスリップ制御に関する制御作動を説明するためのものであり、例えば、数ｍｓｅｃ乃至数十ｍｓｅｃ程度の極めて短いサイクルタイムで繰り返し実行される。
【００５８】
図８において、Ｓ２の判定が肯定された場合には、ロックアップ制御手段１０２に対応するステップＳ２１において、パワーオフダウンシフトが開始されたときから、ロックアップクラッチ２６の係合側油室３２に対する待機圧ＰＬＣ１の油圧充填が開始される。上記Ｓ２１後に、Ｓ３以下が実行される。
【００５９】
図９は、図８および図６に示された電子制御装置１００の制御作動の一例を説明するためのタイムチャートであって、例えば、車両の走行状態がロックアップスリップ制御を実行する走行状態である場合のタイムチャートである。この図９は、実施例１の図７に対応する図である。なお、以下では、上記図７と異なる変化を示すエンジン回転速度ＮＥおよびロックアップ制御用リニアソレノイド弁ＳＬＵへの指令圧に関して説明する。
【００６０】
図９において、マニュアルダウンシフト操作が検出されてダウンシフトが開始されたｔ１１時点直後には、ロックアップ制御用リニアソレノイド弁ＳＬＵへの指令圧が所定の待機圧ＰＬＣ１とされる。これにより、ロックアップクラッチ２６の油圧アクチュエータの係合側油室３２には、上記待機圧ＰＬＣ１の油圧充填が開始される。
【００６１】
ロックアップスリップ制御が開始されたｔ１３時点直後において、エンジン回転速度ＮＥは、実施例１のようにロックアップスリップ制御前に係合側油室３２に油圧が供給されないものに比べて、速やかにタービン回転速度ＮＴに前記目標スリップ量ＮＳで追従回転させられるように制御される。
【００６２】
本実施例の車両用駆動装置１０の制御装置としての電子制御装置１００によれば、ブリッピング制御手段７０によるブリッピング制御中において、ロックアップクラッチ２６の油圧アクチュエータの係合側油室３２にロックアップクラッチ２６を係合させない予め定められた待機圧ＰＬＣ１を充填することから、ロックアップ制御またはロックアップスリップ制御開始後に速やかにロックアップクラッチ２６を係合または半係合させることができるので、車両の減速度をより速やかに得ることができる。
【００６３】
以上、本発明の一実施例を図面を参照して詳細に説明したが、本発明はこの実施例に限定されるものではなく、別の態様でも実施され得る。
【００６４】
たとえば、図７および図９のタイムチャートには、ブリッピング制御手段７０によるブリッピング制御開始後に減少する入出力回転速度差△Ｎに基づいてロックアップクラッチ２６を半係合させる一例が示されたが、これに限らず、例えば、ロックアップクラッチ２６を完全係合させてもよい。
【００６５】
また、前述の実施例の手動変速モードは、シフトレバー６４が操作される毎に自動変速機１６の変速段を切り換える変速モードであったが、これに限らない。例えば、手動変速モードにおいて自動変速機１６は、最高速側の変速段が制限された複数の変速レンジ内で変速が行われるように構成され、手動変速モードは、シフトレバー９６が操作される毎に上記複数の変速レンジを切り換える変速モードであってもよい。
【００６６】
なお、上述したのはあくまでも一実施形態であり、その他一々例示はしないが、本発明は、その主旨を逸脱しない範囲で当業者の知識に基づいて種々変更、改良を加えた態様で実施することができる。
【符号の説明】
【００６７】
１０：車両用駆動装置
１２：エンジン
１４：トルクコンバータ
１６：自動変速機
２２：電子スロットル弁
２６：ロックアップクラッチ
５０，１００：電子制御装置（制御装置）
６４：シフトレバー（手動操作部材）
７０：ブリッピング制御手段
７２：ロックアップ制御手段
ＮＥ：エンジン回転速度（エンジンの出力回転速度、トルクコンバータの入力回転速度）
ＮＴ：タービン回転速度（トルクコンバータの出力回転速度）
ＰＬＣ１：待機圧
ＳＥ：エンジン出力制御指令信号（電気的指令）
△Ｎ：入出力回転速度差（トルクコンバータの出力回転速度と入力回転速度との差）
【図１】
2011196458.tif 000003
【図２】
2011196458.tif 000004
【図３】
2011196458.tif 000005
【図４】
2011196458.tif 000006
【図５】
2011196458.tif 000007
【図６】
2011196458.tif 000008
【図７】
2011196458.tif 000009
【図８】
2011196458.tif 000010
【図９】
2011196458.tif 000011
【図１０】
2011196458.tif 000012